(57)【要約】【課題】表示面積を大きくすることができ、かつ、小型化された状態でも画面の全体を見ることの可能な表示装置を提供する。【解決手段】固定ディスプレイ２０は、筐体１２の背面側に配置され、ＬＣＤ２４に表示される画像等は、筐体１２の外側から視認可能とされている。固定ディスプレイ２０の奥側には、収納空間Ｒ１が構成され、収納空間Ｒ１には可動ディスプレイ３０が収納可能とされている。可動ディスプレイ３０は、下側へスライドされて収納空間Ｒ１から外側へ取出し可能とされており、固定ディスプレイ２０と重なりあう重なり位置Ｐ１と非重なり位置Ｐ２との間を移動可能とされている。【選択図】  図４
2005010410.tif 000002
【特許請求の範囲】
【請求項１】
筐体と、
前記筐体に備えられた固定ディスプレイと、
前記筐体に備えられ、前記固定ディスプレイと重なり合う重なり位置と、前記固定ディスプレイと重なり合わない非重なり位置と、の間を移動可能とされた可動ディスプレイと、
を備え、
前記可動ディスプレイが非重なり位置に配置されているときには前記固定ディスプレイ及び可動ディスプレイの双方の画面が外部から視認可能とされ、前記可動ディスプレイが重なり位置に配置されているときには固定ディスプレイまたは可動ディスプレイのいずれか一方の画面全体が外部から視認可能、とされている表示装置。
【請求項２】
前記可動ディスプレイが前記重なり位置に配置されると外部から視認不能になる前記固定ディスプレイまたは可動ディスプレイの電源を、前記可動ディスプレイが前記非重なり位置に配置されたときにオンする電源入力手段、をさらに備えたことを特徴とする請求項１に記載の表示装置。
【請求項３】
撮像対象を撮像可能な撮像手段、を更に備えたことを特徴とする請求項１または請求項２に記載の表示装置。
【発明の詳細な説明】
【０００１】
【発明の属する技術分野】
本発明は、文字、画像などの情報を表示可能な表示装置に関する。
【０００２】
【従来の技術】
従来より、デジタルカメラ、デジタルビデオカメラ、携帯電話などの電子機器には、撮影した画像や文字情報を表示するためのディスプレイが設けられている。このディスプレイは、表示される文字や画像などによって、ディスプレイが大きい方が見やすい場合がある。しかしながら、ディスプレイを大きくすると、電子機器自体も大きくなってしまい、携帯などに不便となってしまう。
【０００３】
そこで、特許文献１では、携帯時には図１６（Ａ）に示すように、グリップ部１０６を大画面モニタ１０４に重ねて配置してカメラ１０２の小型化を図り、使用時には図１６（Ｂ）に示すように、グリップ部１０６が大画面モニタ１０４に重ならないように引き出して使用するカメラ１０２が開示されている。
【０００４】
しかしながら、上記技術では、カメラ１０２が小型化された状態では大画面モニタ１０４の全体を見ることはできない。
【０００５】
【特許文献１】
特開平１１−２９８７７３号公報
【０００６】
【発明が解決しようとする課題】
本発明は、上記事実を考慮して成されたものであり、表示面積を大きくすることができ、かつ、小型化された状態でも画面の全体を見ることの可能な表示装置を提供することを目的とする。
【０００７】
【課題を解決するための手段】
上記目的を達成するために、請求項１に記載の表示装置は、筐体と、前記筐体に備えられた固定ディスプレイと、前記筐体に備えられ、前記固定ディスプレイと重なり合う重なり位置と、前記固定ディスプレイと重なり合わない非重なり位置と、の間を移動可能とされた可動ディスプレイと、を備え、前記可動ディスプレイが非重なり位置に配置されているときには前記固定ディスプレイ及び可動ディスプレイの双方の画面が外部から視認可能とされ、前記可動ディスプレイが重なり位置に配置されているときには固定ディスプレイまたは可動ディスプレイのいずれか一方の画面が外部から視認可能とされている。
【０００８】
上記表示装置では、可動ディスプレイが非重なり位置に配置されているときには、固定ディスプレイ及び可動ディスプレイの双方の画面が外部から視認可能とされているので、文字や画像が表示される画面の面積を広くすることができる。また、可動ディスプレイは重なり位置に配置することができるので、表示装置全体をコンパクト化することができる。また、可動ディスプレイが重なり位置に配置されているときには、固定ディスプレイまたは可動ディスプレイのいずれか一方の画面が外部から視認可能とされているので、表示装置がコンパクト化された状態でも、一方の画面の全体を見ることができる。
【０００９】
なお、本発明の表示装置は、請求項２に記載のように、前記可動ディスプレイが前記重なり位置に配置されると外部から視認不能になる前記固定ディスプレイまたは可動ディスプレイの電源を、前記可動ディスプレイが前記非重なり位置に配置されたときにオンする電源入力手段、をさらに備えたことを特徴とすることもできる。
【００１０】
可動ディスプレイが重なり位置に配置された状態では、固定ディスプレイまたは可動ディスプレイのいずれか一方は視認可能とされ、他方は視認不能とされている。可動ディスプレイを非重なり位置に配置すると、電源入力手段によって、視認不能とされていたディスプレイの電源がオンされる。したがって、ディスプレイが視認可能な状態とされたときに電源がオンされることになり、電力の無駄な消費を抑制することができる。
【００１１】
また、本発明の表示装置は、請求項３に記載のように、撮像対象を撮像可能な撮像手段、を更に備えたことを特徴とすることもできる。
【００１２】
撮像手段を備えて撮像対象を撮像可能となることにより、画像を取り込んで固定ディスプレイ、可動ディスプレイに表示させることができる。
【００１３】
【発明の実施の形態】
［第１実施形態］
以下、図面を参照して、本発明に係る表示装置の第１実施形態について説明する。本発明の表示装置は、デジタルカメラ、デジタルビデオカメラ、携帯電話、ＰＤＡなどの、ディスプレイを備える電子機器に適用可能であるが、本実施形態では、デジタルカメラに適用した例について説明する。
【００１４】
本実施形態のデジタルカメラ１０は、図１に示すように、筐体１２を備える。筐体１２の上面部にはシャッタボタン１３が配置され、背面部にはファインダ１４、固定ディスプレイ２０、ユーザーが各種の指示を入力するための操作レバー１６、及び、電源ボタン１８が配置されている。
【００１５】
固定ディスプレイ２０は、図２及び図４に示すように、カバー板２２、ＬＣＤ２４、及びクッション２６で構成されている。カバー板２２は透明な部材で構成され、その外面が筐体１２の外面と同一面を構成する位置に配置されている。カバー板２２の奥側にはＬＣＤ２４が配置されている。ＬＣＤ２４は、カバー板２２に向かって配置されており、カバー板２２とＬＣＤ２４との間には空間２８が構成されている。ＬＣＤ２４はカバー板２２よりも外側に向かっている面積が大きく、ＬＣＤ２４の周端部はクッション２６を介して筐体１２に取り付けられている。ＬＣＤ２４に表示される画像等は、筐体１２の外側から視認可能とされている（視認可能とされる部分を以下「固定画面２０Ａ」という）。
【００１６】
固定ディスプレイ２０の奥側には、収納空間Ｒ１が構成されている。収納空間Ｒ１には、可動ディスプレイ３０が収納可能とされている。可動ディスプレイ３０は、カバー板３２、ＬＣＤ３４、クッション３６、及び可動筐体３７で構成されている。ＬＣＤ３４は、可動筐体３７の内部に収納され、ＬＣＤ３４の画面は、固定ディスプレイ２０と同方向に向かって配置されている。可動筐体３７の固定ディスプレイ２０側には、カバー３２が取り付けられている。カバー板３２は透明な部材で構成されている。カバー板３２とＬＣＤ３４との間には空間３８が構成されている。ＬＣＤ３４はカバー板３２よりも外側に向かっている面積が大きく、ＬＣＤ３４の周端部と可動筐体３７との間には、クッション３６が配置されている。可動筐体３７は、下側へスライドされて収納空間Ｒ１から外側へ取出し可能とされている。可動筐体３７が収納空間Ｒ１に収納されているときには、可動ディスプレイ３０は固定ディスプレイ２０と重なりあう位置（以下「重なり位置Ｐ１」という）に配置され、可動筐体３７が収納空間Ｒ１から取出された位置に取出されたときには、可動ディスプレイ３０は固定ディスプレイ２０と重なりあわない位置（以下「非重なり位置Ｐ２」という、図３及び図４参照）に配置される。可動筐体３７には、スライドノブ３９（図１及び図３参照）が固定されると共に筐体１２の側面から外側に突出されている。筐体１２の側面にはスライドノブ３９を筐体１２の内側から外側へ突出可能とする溝穴（図示省略）が上下方向に構成されている。スライドノブ３９がこの溝穴に沿って移動されることにより、可動ディスプレイ３０は、重なり位置Ｐ１と非重なり位置Ｐ２との間を移動可能とされている。
【００１７】
可動ディスプレイ３０が非重なり位置Ｐ２に位置しているときには、ＬＣＤ３４に表示される画像等は、外側から視認可能とされ（この視認可能とされる部分を以下「可動画面３０Ａ」という）、固定画面２０Ａと可動画面３０Ａとで合成画面３１が構成される。可動ディスプレイ３０が重なり位置Ｐ１に位置しているときは、可動画面３０Ａは視認不能とされている。
【００１８】
筐体１２の内部下側には、検知ＳＷ４０が備えられている。検知ＳＷ４０は収納空間Ｒ１側にピン４０Ａを備え、ピン４０Ａの先端部は収納空間Ｒ１に突出されている。ピン４０Ａは、可動ディスプレイ３０が重なり位置Ｐ１に配置されているときには、収納空間Ｒ１に長めに突出されたオフ位置ＯＦＦに配置されている（図２参照）。また、ピン４０Ａは、可動ディスプレイ３０が非重なり位置Ｐ２に配置されると、可動ディスプレイ３０の可動筐体３７の上部に形成された凸部３７Ａによって押されて収納空間Ｒ１から押し出される方向に移動され、オン位置ＯＮに配置される（図４参照）。検知ＳＷ４０は、ピン４０Ａがオン位置ＯＮに配置されるとオン信号を出力し、オフ位置ＯＦＦに配置されるとオフ信号を出力する。
【００１９】
また、筐体１２には、可動ディスプレイ３０が重なり位置Ｐ１に配置された際に、凸部３７Ａと係合可能な凹部１２Ａが構成されている。凸部３７Ａと凹部１２Ａとが係合することにより可動ディスプレイ３０が重なり入りＰ１に保持されている。
【００２０】
図５に本実施形態の制御系の概略ブロック図を示す。デジタルカメラ１０は、ＣＣＤイメージセンサ４２、ＣＰＵ４４、メディアＩ／Ｆ４６（外部メディア４８にアクセス可能とされている）、内部メモリ５０、通信Ｉ／Ｆ５２を備える。これらは、前述の操作レバー１６、電源ボタン１８、固定ディスプレイ２０、可動ディスプレイ３０、及び検知ＳＷ４０とあわせて、バス５４を介して各々接続されている。
【００２１】
次に、本実施形態の作用について説明する。
【００２２】
デジタルカメラ１０をコンパクトな状態のままで使用する際には、可動ディスプレイ３０を重なり位置Ｐ１に配置させたままで、電源ボタン１８をオンする。電源がオンされると、ＣＣＤイメージセンサ４２は、図示しないレンズから入力される被写体の画像を取り込みＣＰＵ４４へ出力する。ＣＰＵ４４は取り込まれた画像の画像データに所定の処理を施して、固定ディスプレイ２０へ出力する。これにより、固定ディスプレイ２０の固定画面２０Ａに、所定のフレームレートで被写体の画像が表示される。ユーザーは、固定画面２０Ａに表示された画像を確認しながら、被写体を撮影することができる。
【００２３】
可動ディスプレイ３０を使用する場合には、スライドノブ３９をデジタルカメラ１０の下方向へ移動させ、可動ディスプレイ３０を非重なり位置Ｐ２へ移動させる。すると、検知ＳＷ４０のピン４０Ａは、可動筐体３７の凸部３７Ａに押されてオフ位置ＯＦＦからオン位置ＯＮへ移動する。これにより、オン信号が検知ＳＷ４０からＣＰＵ４４へ出力され、ＣＰＵ４４から可動ディスプレイ３０へその電源をオンする指示が出力される。これにより、可動ディスプレイ３０の電源がオンされる。また、ＣＰＵ４４は、取り込まれた画像の画像データに所定の処理を施して、固定ディスプレイ２０及び可動ディスプレイ３０へ出力する。このときの画像データは、固定ディスプレイ２０の固定画面２０Ａ及び可動ディスプレイ３０の可動画面３０Ａを合わせた合成画面３１に、所定のフレームレートで被写体の画像が表示されるように出力される。これにより、ユーザーは、合成画面３１に表示された画像を確認しながら、被写体を撮影することができる。
【００２４】
本実施形態のデジタルカメラ１０によれば、可動ディスプレイ３０が重なり位置Ｐ１に配置されている状態でも、固定画面２０Ａが外部から視認可能とされているので、デジタルカメラ１０がコンパクトな状態でも被写体を固定画面２０Ａで確認しながら撮影することができる。また、可動ディスプレイ３０が非重なり位置Ｐ２に配置されると、可動画面３０Ａも外部から視認可能とされ、固定画面２０Ａと可動画面３０Ａとを合わせた合成画面３１が構成されて、合成画面３１全体に被写体を表示することができる。したがって、表示面積を大きくすることができ、表示された画像を視認しやすくすることができる。
【００２５】
また、可動ディスプレイ３０を収納する際には、スライドノブ３９を上方向に移動させ、可動ディスプレイ３０を重なり位置Ｐ１へ配置させる。このとき凸部３７Ａを凹部１２Ａと係合させて可動ディスプレイ３０を重なり位置Ｐ１に保持させる。これによりデジタルカメラ１０をコンパクトサイズにすることができると共に、この状態のままで、固定画面２０Ａに画像を表示することもでき高い利便性を得ることができる。
【００２６】
また、可動ディスプレイ３０が重なり位置Ｐ１へ配置されると、検知ＳＷ４０のピン４０Ａは、可動筐体３７による押圧が解除されオン位置ＯＮからオフ位置ＯＦＦへ移動する。これにより、オフ信号が検知ＳＷ４０からＣＰＵ４４へ出力され、ＣＰＵ４４から可動ディスプレイ３０へその電源をオフする指示が出力される。これにより、可動ディスプレイ３０の電源がオフされる。このように、可動ディスプレイ３０が重なり位置Ｐ１に配置されたときには、その電源がオフされるので、電力の無駄な消費を抑制することができる。
【００２７】
なお、本実施形態では、合成画面３１全体に１つの画像を表示させる例について説明したが、固定画面２０Ａと可動画面３０Ａとに別々画像を表示させることもできる。例えば、固定画面２０Ａには被写体を所定のフレームレートで取り込んで表示させ、可動画面３０Ａには予め内部メモリ５０に記憶しておいたテンプレート画像を表示させることもできる。このような表示が可能であれば、ユーザーがテンプレート画像と被写体とを合成する際に便利である。
【００２８】
また、本実施形態では、可動ディスプレイ３０がデジタルカメラ１０の下側に引き出される構成について説明したが、図６に示すように、可動ディスプレイ３０はデジタルカメラ１０の横側に引き出される構成とすることもできる。この構成によれば、合成画面３１にいわゆるパノラマ表示を行うことができる。
【００２９】
また、本実施形態では、可動ディスプレイ３０を筐体１２の内側に配置し、その外側に固定ディスプレイ２０を配置した例について説明したが、図７に示すように、固定ディスプレイ２０を内側に配置し、その外側に可動ディスプレイ３０を配置することもできる。この場合には、可動ディスプレイ３０が重なり位置Ｐ１に配置されているときには、可動ディスプレイ３０の可動画面３０Ａのみが外部から視認可能とされ、可動ディスプレイ３０が非重なり位置Ｐ２に配置されたときに、固定ディスプレイ２０も外部から視認可能とされる。
［第２実施形態］
次に、第２実施形態について説明する。本実施形態については、第１実施形態と同様の部分については同一の符号を付して詳細な説明は省略する。
【００３０】
本実施形態のデジタルカメラ６０は、図８に示すように、筐体６２を備える。筐体６２の背面側には、ファインダ１４、固定ディスプレイ２０、操作レバー１６、及び、電源ボタン１８が配置されている。
【００３１】
固定ディスプレイ２０の奥側には、図９及び図１１に示すように、収納空間Ｒ１が構成され、収納空間Ｒ１には、可動ディスプレイ３０が収納可能とされている。可動ディスプレイ３０は、カバー板３２、ＬＣＤ３４、クッション３６、及び可動筐体３７で構成されている。可動筐体３７のＬＣＤ３４と逆側には、デジタルカメラ６０の上下方向にラック６６が形成されている。一方、収納空間Ｒ１の固定ディスプレイ２０からみて奥の下側には、ラック６６のと噛み合わせ可能なピニオン６８が設けられている。ピニオン６８は、図示しない軸受けに保持されたシャフト７０に挿通され、シャフト７０を中心にシャフト７０と共に回転可能とされている。シャフト７０の端部には、回転つまみ７２が取り付けられている。回転つまみ７２はシャフト７０と共に回転可能とされており、筐体１２の外側に配置されている。回転つまみ７２が図８及び図９の手前側（Ｙ方向）に回転されると、ピニオン６８の歯がラック６６の歯と順次噛み合って、可動ディスプレイ３０が重なり位置Ｐ１から非重なり位置Ｐ２の方向へ移動される。回転つまみ７２が図８の向こう側（Ｘ方向）に回転されると、ピニオン６８の歯とラック６６の歯とが順次噛み合って、可動ディスプレイ３０が非重なり位置Ｐ２から重なり位置Ｐ１の方向へ移動される。
【００３２】
可動ディスプレイ３０が重なり位置Ｐ１に位置しているときは、固定画面２０Ａのみが視認可能とされ、可動画面３０Ａは視認不能とされている。可動ディスプレイ３０が非重なり位置Ｐ２に位置しているときは、固定画面２０Ａ及び可動画面３０Ａの双方が視認可能とされている。
【００３３】
なお、可動ディスプレイ３０の電源がオフされる作用については第１実施形態と同様である。
【００３４】
次に、本実施形態の作用について説明する。
【００３５】
デジタルカメラ１０をコンパクトな状態のままで使用する際の作用については第１実施形態と同様である。
【００３６】
可動ディスプレイ３０を使用する場合には、回転つまみ７２をＹ方向に回転させる。これにより、ピニオン６８の歯が順次ラック６６の歯と噛み合って可動ディスプレイ３０が非重なり位置Ｐ２方向へ移動される。可動ディスプレイ３０が非重なり位置Ｐ２に配置されると、検知ＳＷ４０のピン４０Ａは、可動筐体３７の凸部３７Ａに押されてオフ位置ＯＦＦからオン位置ＯＮへ移動する。これにより、オン信号が検知ＳＷ４０からＣＰＵ４４へ出力され、ＣＰＵ４４から可動ディスプレイ３０へその電源をオンする指示が出力される。これにより、可動ディスプレイ３０の電源がオンされる。その後、固定画面２０Ａ及び可動画面３０Ａに表示される画像については、第１実施形態と同様である。
【００３７】
本実施形態によっても、表示面積を大きくすることができ、表示された画像を視認しやすくすることができる。また、複数の画像を一度に表示することもでき、画像の合成の際の利便性も向上する。
【００３８】
また、可動ディスプレイ３０を収納する際には、回転つまみ７２をＸ方向へ、可動ディスプレイ３０が重なり位置Ｐ１に配置されるまで回転させる。これによりデジタルカメラ１０をコンパクトサイズにすることができると共に、この状態のままで、固定画面２０Ａに画像を表示することもでき高い利便性を得ることができる。
［第３実施形態］
次に、第３実施形態について説明する。本実施形態についても、第１、第２実施形態と同様の部分については同一の符号を付して詳細な説明は省略する。
【００３９】
本実施形態のデジタルカメラ８０は、図１２に示すように、筐体８２を備える。筐体８２の背面側には、ファインダ１４、固定ディスプレイ２０、操作レバー１６、及び、電源ボタン１８が配置されている。、筐体８２の１側面部には、回転つまみ７２が配置されている。回転つまみ７２は、図示しない軸受けに保持されたシャフト７０の端部に取り付けられ、シャフト７０を中心にシャフト７０と共に回転可能とされている。
【００４０】
固定ディスプレイ２０の奥の下側には、図１３及び図１５に示すように、筐体１２の一部で囲まれて収納空間Ｒ２が構成され、収納空間Ｒ２には、電子ペーパ８４が収納可能とされている。電子ペーパ８４は、上端辺部がシャフト７０に取り付けられており、画像の表示されるペーパ画面８４Ａを備えている。電子ペーパ８４は、回転つまみ７２がＹ方向へ回転されることによりシャフト７０に巻き取られ、回転つまみ７２がＸ方向へ回転されることによりシャフト７０から巻き出される。電子ペーパ８４は、シャフト７０に巻き取られ収納空間Ｒ２に収納される位置（以下「収納位置Ｐ３」という）に配置されているときには、その表示面は外部から視認不能とされている。電子ペーパ８４は、シャフト７０から巻き出され、表示面がすべて収納空間Ｒ２の外に配置される位置（以下「巻き出し位置Ｐ４」という）に出されているときには、その表示面は外部から視認可能とされている。
【００４１】
収納空間Ｒ２の下側には、筐体１２の一部により電子ペーパ８４が通過可能な通過口８６が構成されている。電子ペーパ８４の下側端辺部には、ストッパ８８が取り付けられている。電子ペーパ８４がシャフト７０に巻き取られ、収納位置Ｐ３に配置されると、ストッパ８８は筐体１２に当接され通過口８６を塞ぐ位置に配置される。ストッパ８８の筐体１２への当接により、電子ペーパ８４の端部が収納空間Ｒ２内に巻き込まれるのが防止される。
【００４２】
収納空間Ｒ２の上部外側には、検知ＳＷ９０が配置されている。検知ＳＷ９０は、ピン９０Ａを備え、ピン９０Ａの先端部は収納空間Ｒ２に突出されている。ピン９０Ａは、下方向に付勢されており、電子ペーパ８４が巻き出し位置Ｐ４に配置されているときには、オン位置ＯＮに配置されている（図１５参照）。電子ペーパ８４がシャフト７０に巻き取られ、収納位置Ｐ３に配置されているときには、巻き取られた電子ペーパ８４に押されてオフ位置ＯＦＦに配置されている（図１３参照）。検知ＳＷ９０は、ピン９０Ａがオン位置ＯＮに配置されるとオン信号を出力し、オフ位置ＯＦＦに配置されるとオフ信号を出力する。
【００４３】
次に、本実施形態の作用について説明する。
【００４４】
デジタルカメラ１０をコンパクトな状態のままで使用する際の作用については第１実施形態と同様である。
【００４５】
電子ペーパ８４を使用する場合には、回転つまみ７２をＸ方向に所定回数回転させる。これにより、電子ペーパ８４がシャフト７０から巻き出され、電子ペーパ８４が巻き出し位置Ｐ４に配置される。電子ペーパ８４が巻き出し位置Ｐ４に配置されると、検知ＳＷ９０のピン４０Ａは、電子ペーパ８４による押圧が解除され、オフ位置ＯＦＦからオン位置ＯＮへ移動する。これにより、オン信号が検知ＳＷ９０からＣＰＵ４４へ出力され、ＣＰＵ４４から電子ペーパ８４へその電源をオンする指示が出力される。これにより、電子ペーパ８４の電源がオンされる。その後、固定画面２０Ａ及びペーパ画面８４Ａに表示される画像については、第１実施形態と同様である。
【００４６】
本実施形態によっても、表示面積を大きくすることができ、表示された画像を視認しやすくすることができる。また、複数の画像を一度に表示することもでき、画像の合成の際の利便性も向上する。
【００４７】
また、電子ペーパ８４を収納する際には、回転つまみ７２Ｙ方向へ、ストッパ８８が筐体１２に当接されるまで回転させる。これにより、電子ペーパ８４がシャフト７０に巻き取られ、電子ペーパ８４は収納位置Ｐ３へ収納される。特に本実施形態では、電子ペーパ８４をシャフト７０に巻き取って収納するので、収納空間Ｒ２を第１及び第２実施形態の収納空間Ｒ１よりも小さくすることができ、デジタルカメラ８０をさらにコンパクトサイズにすることができる。また、コンパクトサイズのままで、固定画面２０Ａに画像を表示することもでき高い利便性を得ることができる。
【００４８】
また、電子ペーパ８４が収納位置Ｐ４へ配置されると、検知ＳＷ９０のピン９０Ａは、可動筐体３７により押圧されオン位置ＯＮからオフ位置ＯＦＦへ移動する。これにより、オフ信号が検知ＳＷ９０からＣＰＵ４４へ出力され、ＣＰＵ４４から電子ペーパ８４へその電源をオフする指示が出力される。これにより、電子ペーパ８４の電源がオフされる。このように、電子ペーパ８４が収納位置Ｐ４に配置されたときには、その電源がオフされるので、電力の無駄な消費を抑制することができる。
【００４９】
【発明の効果】
以上説明したように、本発明の表示装置によれば、可動ディスプレイが非重なり位置に配置されているときには、固定ディスプレイ及び可動ディスプレイの双方の画面が外部から視認可能とされているので、文字や画像が表示される画面の面積を広くすることができる。また、可動ディスプレイが重なり位置に配置されているときには、固定ディスプレイまたは可動ディスプレイのいずれか一方の画面が外部から視認可能とされているので、表示装置がコンパクト化された状態でも、一方の画面の全体を見ることができる。
【図面の簡単な説明】
【図１】第１実施形態のデジタルカメラの可動ディスプレイが重なり位置に配置された状態での背面図である。
【図２】第１実施形態のデジタルカメラの可動ディスプレイが重なり位置に配置された状態での側断面図である。
【図３】第１実施形態のデジタルカメラの可動ディスプレイが非重なり位置に配置された状態での背面図である。
【図４】第１実施形態のデジタルカメラの可動ディスプレイが非重なり位置に配置された状態での側断面図である。
【図５】第１実施形態のデジタルカメラの制御系の概略ブロック図である。
【図６】第１実施形態のデジタルカメラの変形例を示す背面図である。
【図７】第１実施形態のデジタルカメラの他の変形例を示す斜視図である。
【図８】第２実施形態のデジタルカメラの可動ディスプレイが重なり位置に配置された状態での背面図である。
【図９】第２実施形態のデジタルカメラの可動ディスプレイが重なり位置に配置された状態での側断面図である。
【図１０】第２実施形態のデジタルカメラの可動ディスプレイが非重なり位置に配置された状態での背面図である。
【図１１】第２実施形態のデジタルカメラの可動ディスプレイが非重なり位置に配置された状態での側断面図である。
【図１２】第３実施形態のデジタルカメラの可動ディスプレイが重なり位置に配置された状態での背面図である。
【図１３】第３実施形態のデジタルカメラの可動ディスプレイが重なり位置に配置された状態での側断面図である。
【図１４】第３実施形態のデジタルカメラの可動ディスプレイが非重なり位置に配置された状態での背面図である。
【図１５】第３実施形態のデジタルカメラの可動ディスプレイが非重なり位置に配置された状態での側断面図である。
【図１６】従来技術を示すデジタルカメラの斜視図である。
【符号の説明】
１０、６０、８０  デジタルカメラ
１２、６２、８２  筐体
２０    固定ディスプレイ
２０Ａ  固定画面（画面）
３０    可動ディスプレイ
３０Ａ  可動画面（画面）
４０  検知ＳＷ（電源入力手段）
４２    ＣＣＤイメージセンサ（撮像手段）
Ｐ１    重なり位置
Ｐ２    非重なり位置
Ｐ３    収納位置（重なり位置）
Ｐ４    巻き出し位置（非重なり位置）
【図１】
2005010410.tif 000003
【図２】
2005010410.tif 000004
【図３】
2005010410.tif 000005
【図４】
2005010410.tif 000006
【図５】
2005010410.tif 000007
【図６】
2005010410.tif 000008
【図７】
2005010410.tif 000009
【図８】
2005010410.tif 000010
【図９】
2005010410.tif 000011
【図１０】
2005010410.tif 000012
【図１１】
2005010410.tif 000013
【図１２】
2005010410.tif 000014
【図１３】
2005010410.tif 000015
【図１４】
2005010410.tif 000016
【図１５】
2005010410.tif 000017
【図１６】
2005010410.tif 000018